(57)【要約】【課題】  測定後であっても測定結果に対応する測定位置を特定することができ、該測定結果を有効に活用することができる温度測定装置を提供することを課題とする。【解決手段】  測定対象物Ｔの温度を非接触で測定可能に構成された測定手段１を備えた温度測定装置であって、少なくとも測定手段１で測定対象物Ｔの測定を行うにときに、該測定対象物Ｔにおける前記測定手段１の測定領域Ｓａを画像として撮影する撮影手段２と、測定手段１の測定結果及び撮影手段２の撮影結果を関連づけて記憶させる記憶手段３とを備えてなることを特徴とする。【選択図】図１
2007033124.tif 000002
【特許請求の範囲】
【請求項１】
測定対象物の温度を非接触で測定可能に構成された測定手段を備えた温度測定装置であって、少なくとも測定手段で測定対象物の測定を行うときに、該測定対象物における前記測定手段の測定領域を画像として撮影する撮影手段と、測定手段の測定結果及び撮影手段の撮影結果を関連づけて記憶させる記憶手段とを備えてなることを特徴とする温度測定装置。
【請求項２】
前記測定手段は、測定対象物の温度を経時的に測定可能に構成されてなると共に、前記撮影手段は、測定手段の測定中に測定領域を動画で撮影可能に構成されてなる請求項１記載の温度測定装置。
【請求項３】
前記測定手段には、サーモグラフィーが採用されてなる請求項１又は２記載の温度測定装置。
【請求項４】
撮影手段で撮影中の画像を表示する表示手段を更に備えてなる請求項１乃至３の何れかに記載の温度測定装置。
【請求項５】
前記表示手段は、前記測定手段の測定結果と、撮影手段の撮影結果とを並べて表示可能に構成されてなる請求項４記載の温度測定装置。
【発明の詳細な説明】
【技術分野】
【０００１】
本発明は、測定対象物の温度を非接触で測定する温度測定装置に関する。
【背景技術】
【０００２】
従来から、測定対象物の温度を非接触で測定する温度測定装置がある。かかる温度測定装置は、測定対象物に対して非接触で温度測定できるため、測定者が近寄ることのできない測定対象物（例えば、発電所や各種プラントにおける煙突や、配管系等）の温度を測定してそれらの不具合を早期に発見するのに利用されている。
【０００３】
かかる温度測定装置は、測定対象物の熱を測定する測定手段を備えている。該測定手段は、測定対象物から放散される赤外線を検出する検出センサーと、該検出センサーの検出結果（赤外線の放射量）に基づいて温度表示する表示手段とを基本構成にしており、前記検出センサーと測定対象物とを対向させた状態（検出センサーの検出部分を測定対象物に向けた状態）で、検出センサーが測定対象物からの赤外線を受けて当該赤外線を検出するようになっている。
【０００４】
かかる基本構成（測定手段）を備えた温度測定装置としては、検出センサーの検出結果に基づいて表示手段にポイント的な温度を数値で表示させるようにした非接触温度計や、測定対象物の所定領域から放射される赤外線を検出センサーで検出し、該検出結果に基づいて、表示手段に所定領域内の温度分布をカラー画像として表示するようにしたサーモグラフィーが一般的に知られている。
【発明の開示】
【発明が解決しようとする課題】
【０００５】
ところで、前記温度測定装置によって得られる測定結果は、上述の如く、測定対象物の不具合の有無の判断材料であるため、温度測定後に活用されることがある。しかしながら、測定対象物に対する測定が適正に行われたとしても、その測定結果とその測定結果が得られた測定対象物の測定領域（位置）との関連性が明確でない場合があり、せっかくの測定結果を後に活用できない場合があった。つまり、事後に測定結果を活用しようとしても、測定結果だけでは該測定結果がどの測定領域に関するものであるかを的確に把握することができず、測定結果を有効に活用することができない場合があり、ひいては再測定を余儀なくされる場合がある。
【０００６】
そこで、本発明は、斯かる実情に鑑み、測定後であっても測定結果に対応する測定位置を特定することができ、該測定結果を有効に活用することができる温度測定装置を提供することを課題とする。
【課題を解決するための手段】
【０００７】
本発明に係る温度測定装置は、測定対象物の温度を非接触で測定可能に構成された測定手段を備えた温度測定装置であって、少なくとも測定手段で測定対象物の測定を行うときに、該測定対象物における前記測定手段の測定領域を画像として撮影する撮影手段と、測定手段の測定結果及び撮影手段の撮影結果を関連づけて記憶させる記憶手段とを備えてなることを特徴とする。なお、「撮影」とは、画像を静止画又は動画で撮ることをいう。
【０００８】
かかる温度測定装置によれば、少なくとも測定手段で測定対象物の測定を行うにときに、該測定対象物における前記測定手段の測定領域を画像として撮影する撮影手段と、測定手段の測定結果及び撮影手段の撮影結果を関連づけて記憶させる記憶手段とを備えているので、測定後であっても記憶手段に記憶した画像を基に、測定結果がどの領域に関するものかを特定することができ、該測定結果を有効に活用することができる。
【０００９】
本発明の一態様として、前記測定手段は、測定対象物の温度を経時的に測定可能に構成されてなると共に、前記撮影手段は、測定手段の測定中に測定領域を動画で撮影可能に構成されてなることが好ましい。このようにすれば、該撮影した動画は、経時的な測定結果と関連付けられているので、該動画から測定結果がどのタイミングのものか、或いはどの位置のものかを把握することができる。また、経時的な測定結果から測定対象物を経時的な温度変化や、測定対象物の適宜位置の温度状況等を的確に把握することができる。
【００１０】
本発明の他態様として、前記測定手段には、サーモグラフィーが採用されてもよい。つまり、温度測定装置は、サーモグラフィー、撮影手段、及び記憶手段を備えた構成にしてもよい。このように測定手段にサーモグラフィーを採用すれば、温度測定の対象となる領域（広範囲）の温度分布が二次元的に表現されるので、撮影手段で二次元的に撮影された画像と対比することで、各位置の温度を的確に把握することができる。
【００１１】
さらに、撮影手段で撮影中の画像を表示する表示手段を更に備えれば、非接触で測定対象物の温度測定を行うに際し、表示手段の画像を見て測定位置（領域）を的確に特定することができ、測定作業を確実且つ円滑に行うことができる。
【００１２】
また、前記表示手段は、前記測定手段の測定結果と、撮影手段の撮影結果とを並べて表示可能に構成されることが好ましい。このようにすれば、測定時及び測定後の何れにおいても、測定位置の特定及びその測定位置の温度状況の確認をすることができ、測定結果を有効に活用することができる。
【発明の効果】
【００１３】
以上のように、本発明の温度測定装置によれば、測定後であっても測定結果に対応する測定位置を特定することができ、該測定結果を有効に活用することができるという優れた効果を奏し得る。
【発明を実施するための最良の形態】
【００１４】
以下、本発明の一実施形態に係る温度測定装置について、添付図面を参照しつつ説明する。
【００１５】
本実施形態に係る温度測定装置は、図１に示す如く、測定対象物Ｔの温度（熱）を非接触で測定する測定手段１と、測定手段１で測定対象物Ｔの測定を行うときに、該測定対象物Ｔにおける前記測定手段１の測定領域Ｓａを画像として撮影する撮影手段２と、測定手段１の測定結果及び撮影手段２の撮影結果を関連づけて記憶させる記憶手段３と、これらが装備されたケース本体４とを備えている。また、該温度測定装置は、測定対象物Ｔまでの距離を測定する距離測定手段５を更に備えている。
【００１６】
前記測定手段１は、非接触で測定対象物Ｔの温度を測定できるものが採用されており、本実施形態においてはサーモグラフィー（熱画像装置）が採用されている。該サーモグラフィー１は、測定対象物Ｔから放射される赤外線を検出する検出センサー１０と、該検出センサー１０によって得られた検出結果を基に温度分布を画像として表示する表示手段１１とを備えている。また、該サーモグラフィー１は、検出センサー１０の検出結果を演算処理して温度に換算するための演算処理装置１３を備えている。該演算処理装置１３は、サーモグラフィー１の制御や演算を行う他に、サーモグラフィー１によって得た計測結果の記憶、撮影手段２の制御、撮影した画像と測定結果との関連づけ等を行うように構成されている。該演算処理装置１３は、演算や制御の主体となるＣＰＵ（図示しない）、上述した演算や制御等を行うソフトウェア等が記憶されたＲＯＭ（図示しない）、測定結果及び撮影結果を記憶したり、演算等のワークエリア等に使用されたりするＲＡＭ（図示しない）等によって構成されている。
【００１７】
本実施形態に係るサーモグラフィー１は、検出センサー１０の前方に光学系レンズ１２が配設されており、測定対象物Ｔから放射される赤外線を、光学系レンズ１２を介して検出センサー１０の検出部分に導入できるように構成されている。
【００１８】
検出センサー１０には、単素子のものと二次元素子のものとがあり、本実施形態においては、二次元素子が採用されている。このように検出センサー１０に二次元素子が採用された場合、光学系レンズ１２は固定されたまま、検出センサー１０によって光学系レンズ１２の光軸ＷＬ１に直交する二軸（Ｘ軸−Ｙ軸）方向に電子走査するように構成されている。これにより、光学系レンズ１２における結像点を基点にして、該光学系レンズ１２の光軸ＷＬ１に対して直交する二軸（Ｘ軸−Ｙ軸）方向に所定角度の領域（光学系レンズ１２上に頂点を位置させた四角錐状の領域）が温度測定可能な領域となる。
【００１９】
該サーモグラフィー１は、測定の対象となる測定領域Ｓａの拡縮できるようにズーム機構（図示しない）備えると共に、その測定領域Ｓａの拡縮に伴う焦点距離の変動を解消すべく、オートフォース機構（図示しない）を備えている。該オートフォーカス機構は、前記距離測定手段５から得られた距離と、ズーム機構の作動による倍率との相関関係を基にして焦点距離が調整されるようになっている。なお、該温度測定装置は、測定領域Ｓａを拡縮しても光学系レンズ１２に対する光軸ＷＬ１は常に同軸上に位置するように構成されている。
【００２０】
上記構成のサーモグラフィー１は、検出センサー１０によって得られたデータを増幅し、その測定領域Ｓａ内の温度分布が画像（測定画像）Ｐｓとして表示手段１１に表示されるようになっている。なお、本実施形態において、サーモグラフィー１は、測定対象物Ｔの温度（温度分布）を経時的に測定できるように構成されており、測定結果を動画として記憶手段３に記憶させるようになっている。
【００２１】
本実施形態に係る表示手段１１は、前記測定手段１及び撮影手段２と共にケース本体４に組み込まれており、当該温度測定装置をハンディーカメラの如く構成している。本実施形態に係る表示手段１１には、液晶カラーモニターが採用されており、検出センサー１０の検出結果に基づいて、測定領域Ｓａの温度分布を表す測定画像Ｐｓをカラー画像として表示できるようになっている。また、本実施形態において、温度測定装置は撮影手段２を備えているので、表示手段１１は、撮影手段２によって撮影される撮影画像Ｐも表示できるようになっている。この表示手段１１は、測定手段１の測定中において、該測定手段１の測定結果（測定画像）Ｐｓと撮影手段２の撮影結果（撮影画像）Ｐとを並べて表示するようになった、いわゆるマルチウィンドウとなっている。なお、本実施形態に係る表示手段１１は、測定手段１の測定結果と撮影手段２の撮影結果とを上下二段にして表示するようになっている。
【００２２】
前記撮影手段２は、測定手段１（検出センサー１０）が測定している測定領域Ｓａと同一の領域Ｓｂを画像として撮影できるように構成されており、前記サーモグラフィー１の上方側に設けられている。本実施形態において、上述の如く、サーモグラフィー１が測定対象物Ｔの温度を経時的に測定可能に構成されているので、該撮影手段２は、撮影領域Ｓｂを経時的な画像、すなわち動画として撮影できるようになっている。
【００２３】
該撮影手段２は、前記撮影領域Ｓｂを画像として撮影するための撮像素子２０と、被写体（撮影領域Ｓｂ）の像を前記撮像素子２０に導くための光学系とを備えており、一般的なビデオ撮影装置と基本構成が同じである。前記撮像素子２０には、光を電気信号に変換する受光素子（電荷結合素子：ＣＣＤ）が採用されている。そして、該撮像素子２０の前方には、前記光学系（図１においては、光学系レンズ２１のみが示されている）が配設されている。該光学系は、図１に示す光学系レンズ２１に加え、撮影領域Ｓｂを拡縮するためのズーム機構（図示しない）や、撮影領域Ｓｂの拡縮に伴う焦点距離の変動による焦点のズレを調節する（ピントを合わせる）オートフォーカス機構（図示しない）等を備えている。
【００２４】
そして、本実施形態に係る撮影手段２は、上述の如く、測定手段１の測定領域Ｓａを撮影するためのものであるので、撮影領域Ｓｂ及び測定領域Ｓａを一致させるべく、該撮影手段２の光軸ＷＬ２を測定手段１の光軸ＷＬ１と測定対象物Ｔ上で一致させる光軸調整機構（図示しない）が設けられている。本実施形態においては、上述の如く、撮影手段２が測定手段１に対して上方側に設けられているので、光軸調整機構は、光学系レンズ２１を水平方向（Ｘ’軸方向）に延びる軸心周りで所定角度回転させ、該光学系の光軸ＷＬ２が垂直方向（Ｙ’軸方向）に角度調整されるようになっている。なお、測定手段１及び撮影手段２が一体的にケース本体４に組み込まれているので、測定手段１と撮影手段２との間の距離が一定であることを前提に、撮影手段２の光軸ＷＬ２の角度は、測定対象物Ｔまでの距離に応じて適宜設定されており、前記距離測定手段５の測定結果に基づいて、撮影手段２の光軸ＷＬ２の角度が調整されるようになっている。
【００２５】
また、該撮影手段２の撮影領域Ｓｂは、前記測定手段１の測定領域Ｓａと同じサイズが所定の基準になっており、測定手段１のズーム機構及びオートフォーカス機構に連動して撮影手段２のズーム機構、光軸調整機構、オートフォーカス機構が作動し、測定手段１の測定領域Ｓａと撮影手段２の撮影領域Ｓｂとが常に一致するようになっている。
【００２６】
本実施形態に係る記憶手段３には、演算処理装置１３を構成する前記ＲＡＭの他に、記録媒体Ｍ（本実施形態においてはビデオテープ）に画像を記録する媒体記録装置４０が採用されている。
【００２７】
該記憶手段３（ＲＡＭ及び媒体記録装置４０）は、測定手段１の測定結果（温度分布を示す測定画像Ｐｓ）及び撮影手段２の撮影結果（撮影画像Ｐ）を関連づけた状態で、これらを組み合わせた画像（測定時において表示手段１１に表示されていた画像）として記憶するように構成されている。つまり、記憶手段３は、測定画像Ｐｓ及び撮影画像Ｐをサイズ、及び取得タイミング等の条件を関連づけた状態で記憶するようになっている。本実施形態においては、測定手段１の測定画像Ｐｓ（測定結果）が経時的に得られるため、前記撮影手段２の撮影画像Ｐは動画として記憶手段３に記憶（記録）されるようになっている。なお、本実施形態において、演算処理装置１３のＲＡＭを記憶手段３として採用しているので、測定作業中における測定画像Ｐｓ及び撮影画像Ｐの確認は、ＲＡＭに記憶した画像を表示手段１１に表示することで行えるようになっている。その一方で、記録媒体Ｍに記録した画像を基に測定後における測定結果の確認作業を行えるようになっている。なお、前記媒体記録装置４０は、記録媒体Ｍに記録した画像を前記表示手段１１で再生できるようにも構成されている。
【００２８】
本実施形態に係る距離測定手段５は、赤外線を測定対象物Ｔに向けて照射して反射してきた赤外線を検知する赤外線センサーと、該赤外線センサーの検知結果を基に測定対象物Ｔまでの距離を演算する演算処理装置１３とで構成されている。具体的に説明すると、該距離測定手段５は、赤外線の出射時から測定対象物に反射して帰ってくる赤外線が赤外線センサーに到達する時までの時間により、測定対象物Ｔまでの距離を測定するようになっている。なお、本実施形態においては、サーモグラフィー１の演算処理装置１３を距離測定手段５の演算処理装置に兼用させている。
【００２９】
本実施形態に係る温度測定装置は、以上の構成からなり、次に、該温度測定装置の使用態様について説明する。
【００３０】
まず、図２に示す如く、温度測定装置（検出センサー１０及び撮像素子２０）を測定対象物Ｔに向ける。そうすると、撮影手段２で撮影中の画像（撮影画像）Ｐが表示手段１１に映し出されるので、その画像Ｐを基に測定対象物Ｔの測定領域Ｓａを特定する。つまり、表示手段１１に映し出されている撮影画像Ｐは、距離測定手段５によって測定した測定対象物Ｔまでの距離を基に、測定対象物Ｔ上で測定手段１の光軸ＷＬ１と撮影手段２の光軸ＷＬ２とが一致するように、撮影手段２の光軸ＷＬ２が調整された上で撮影されたものであるので、表示手段１１に表示された撮影画像Ｐから測定領域Ｓａを的確に特定することができる。なお、図２においては、測定対象物Ｔとして煙突を一例にして示しており、該煙突Ｔとその周辺が撮影画像Ｐとして表示手段１１に表示されるように温度測定装置（検出センサー１０及び撮像素子２０）を煙突Ｔに向けた状態を示している。
【００３１】
そして、測定手段１で測定を開始すると、図３に示す如く、撮影中の撮影画像Ｐが表示手段１１に表示されつつ、検出センサー１０の検出結果から換算された温度分布を示す測定画像Ｐｓがカラー画像として表示手段１１に表示される。なお、このように測定手段１と撮影手段２とが作動しているときは、得られた画像（測定画像Ｐｓ及び撮影画像Ｐ）は、データとしてＲＡＭに記憶されると共に、ビデオテープに記録されることになる。
【００３２】
そして、温度測定装置を作動させつつ向きを変えると、測定手段１による測定領域Ｓａが変移すると共に、撮影手段２による撮影領域Ｓｂも測定領域Ｓａに対応するように変移することになる。本実施形態に係る温度測定装置は、撮影手段２が撮影領域Ｓｂ（測定領域Ｓａ）を動画として撮影するように構成されているので、測定手段１の測定領域Ｓａの位置が連続的に変移しても撮影手段２による撮影が追従することになる。従って、記憶手段３に記憶される画像は、測定画像Ｐｓ及び撮影画像Ｐが経時的に関連づけられた態様となる。
【００３３】
そして、測定後に測定結果を確認する場合、ＲＡＭに記憶させた画像（測定画像Ｐｓ及び撮影画像Ｐ）を当該温度測定装置の表示手段１１に表示させたり、ビデオテープを別途用意したビデオデッキで再生したりすることで、各測定領域Ｓａを特定した上で該測定領域Ｓａの温度状況を的確に把握することができる。このように測定結果を確認するにあたり、測定中であるか測定後であるかに拘わらず、上述の如く、煙突Ｔとその周辺も含めて温度測定及び撮影を行うようにしているので、その周辺の風景（例えば、煙突Ｔに隣接した建物Ｈ）を目安にして測定位置を的確に把握することができる。
【００３４】
次に、測定対象物Ｔの一部分に対して温度測定する場合について説明すると、図４に示す如く、温度測定装置（検出センサー１０及び撮像素子２０）を測定対象物Ｔに向け、測定手段１のズーム機構を作動させ、煙突Ｔの外周面の一部を拡大して測定するように設定する。この際、測定手段１のズーム機構の倍率に対応して撮影手段２のズーム機構が連動すると共に、距離測定手段５によって測定した測定対象物Ｔまでの距離を基に、測定対象物Ｔ上で測定手段１の光軸ＷＬ１と撮影手段２の光軸ＷＬ２とが一致するように、光軸調整機構によって撮影手段２の光軸ＷＬ２が調整されることになる。これにより、測定画像Ｐｓ及び撮影画像Ｐは同じ領域に対するものとして表示手段１１に表示されることになる。
【００３５】
そして、測定手段１で測定を開始すると、図５に示す如く、撮影中の画像が表示手段１１に表示されつつ、検出センサー１０の検出結果から換算された温度分布がカラー画像として表示手段１１に表示されると共に、表示手段１１に表示された画像がデータとして記憶手段３に記憶されることになる。
【００３６】
なお、測定対象物が煙突Ｔのように形状的な変化や色彩等に特徴がないものである場合には、測定対象物Ｔに何らかの目印を施しておくことが好ましく、本実施形態においては、煙突Ｔの高さ表示Ｅが目印として設けられている。但し、温度測定を行うに際し、先に説明したように全体的な温度測定を行いつつ、測定手段１の測定領域Ｓａ及び撮影手段２の撮影領域を徐々に縮小するようにすれば、測定対象物Ｔに目印を設けなくても、測定位置を特定することは可能である。この場合、測定後に測定結果を確認すべく、測定領域Ｓａ及び撮影領域Ｓｂを縮小するに際して、測定手段１、撮影手段２、及び記憶手段３を作動させておくことは勿論のことである。
【００３７】
そして、温度測定装置を作動させつつ向きを変えると、測定手段１による測定領域Ｓａが変移すると共に、撮影手段２による撮影領域Ｓｂも測定領域Ｓａに対応するように変移することになる。この場合においても、測定手段１の測定領域Ｓａが連続的に変移しても撮影手段２による撮影領域Ｓｂが追従することになり、撮影画像Ｐ及び測定画像Ｐｓは関連付けられた状態で記憶装置３に記憶される。
【００３８】
そして、測定後に測定結果を確認する場合、ＲＡＭに記憶させた画像を当該温度測定装置の表示手段１１に表示させたり、ビデオテープを別個のビデオデッキで再生したりすることで、各測定領域Ｓａを特定した上で該測定領域Ｓａの温度状況を的確に把握することができる。このように測定結果を確認するにあたり、測定中であるか測定後であるかに拘わらず、撮影画像Ｐに映し出された煙突Ｔの高さ表示Ｅを目安にして測定位置を的確に把握することができる。
【００３９】
以上のように、本実施形態に係る温度測定装置は、測定手段１で測定対象物Ｔの測定を行うにときに、該測定対象物Ｔにおける前記測定手段１の測定領域Ｓａを画像として撮影する撮影手段２と、測定手段１の測定結果及び撮影手段２の撮影結果を関連づけて記憶させる記憶手段３とを備えているので、測定後であっても測定結果がどの領域に関するものかを撮影結果から特定することができ、該測定結果を有効に活用することができる。
【００４０】
また、測定手段１を測定対象物Ｔの温度を経時的に測定可能に構成する共に、撮影手段２を測定手段１の測定中に測定領域Ｓａを動画で撮影するように構成したので、該動画から測定結果がどのタイミングのものか、或いはどの位置のものかを把握することができる。これにより、測定結果から測定対象物Ｔを経時的な温度変化や、測定対象物Ｔの適宜位置の温度状況等を的確に把握することができる。
【００４１】
また、測定手段にサーモグラフィーを採用したので、温度測定の対象となる測定領域Ｓａ（広範囲）の温度分布を二次元的に表現することができ、該温度分布（測定画像Ｐｓ）と撮影手段２で二次元的に撮影された撮影画像Ｐと対比することで、各位置の温度を的確に把握することができる。
【００４２】
さらに、撮影手段２で撮影中の画像を表示手段１１で表示するようにしたので、測定対象物Ｔの温度測定を行うに際し、表示手段１１の画像を見て測定の対象となる領域Ｓａを的確に特定することができ、測定作業を確実且つ円滑に行うことができる。
【００４３】
また、表示手段１１に測定手段１の測定結果と、撮影手段２の撮影結果とを並べて表示するようにしたので、測定時及び測定後の何れにおいても、測定位置の特定とその測定位置の温度状況の確認とを行うことができ、測定結果を有効に活用することができる。
【００４４】
尚、本発明の温度測定装置は、上記実施形態に限定されるものではなく、本発明の要旨を逸脱しない範囲内において種々変更を加え得ることは勿論である。
【００４５】
上記実施形態において、撮影手段２で動画を撮影するようにしたが、これに限定されるものではなく、例えば、撮影領域Ｓｂ（測定領域Ｓａ）を静止画で撮影するようにしてもよい。つまり、測定手段１での温度測定が経時的なものでない場合には、その測定結果が一時的なものであるので、撮影手段２で撮影される画像が静止画であっても測定位置を特定することができる。
【００４６】
上記実施形態において、記憶手段３としてビデオテープに動画を記録する媒体記録装置４０を採用したが、媒体記録装置４０は、ビデオテープを記録媒体Ｍとしたものに限定されるものではなく、例えば、ＣＤ−Ｒ／ＲＷ、ＤＶＤ±Ｒ／ＲＷ、ＤＶＤ−ＲＡＭ、コンパクトフラッシュメモリ、ＳＤカード等の各種メディアを記録媒体Ｍとしたものであっても勿論よい。また、記憶手段３として演算処理装置１３を構成するＲＡＭを活用するようにしたが、これに限定されるものではなく、媒体記録装置４０又はＲＡＭの少なくとも何れか一方を備えればよい。但し、測定後において測定結果の保存等を考慮すると、記憶手段３に媒体記録装置４０を採用することが好ましい。また、記録媒体ＭにＣＤ−Ｒ／ＲＷや、ＤＶＤ±Ｒ／ＲＷ、ＤＶＤ−ＲＡＭ等のメディアを採用する場合には、演算処理装置１３のＲＡＭに一時的に画像をデータとして保存し、そのデータをメディアに書き込むようにしてもよい。
【００４７】
上記実施形態において、測定手段１に温度分布を表示するサーモグラフィーを採用したが、これに限定されるものではなく、測定手段１は、例えば、測定対象物Ｔの温度を非接触で測定する検出センサー（温度センサー）と、該温度センサーの検出結果を温度表示する表示手段１１とで構成したいわゆる非接触温度計であってもよい。この場合、測定対象物Ｔの温度がピンポイント的に測定されるため、測定位置を明示すべく、撮影手段２で撮影される撮影画像Ｐ上に目印を表示することが好ましい。該目印は、測定手段１の光軸ＷＬ１と撮影手段２の光軸ＷＬ２とが交わる位置、すなわち、表示手段１１で表示される画像の中央部に設けることは勿論のことである。また、この場合において、測定手段１の測定結果は二次元的な画像にする必要はなく、例えば、数値で表示するようにしてもよい。
【００４８】
上記実施形態において、表示手段１１に測定手段１の測定結果（測定画像Ｐｓ）と撮影手段の撮影結果（撮影画像Ｐ）とを並べて表示するようにしたが、これに限定されるものではなく、例えば、測定手段１に上記実施形態と同様にサーモグラフィーを採用した場合には、二次元的な温度分布の画像を得ることができるので、この温度分布に係る測定画像Ｐｓと撮影手段２で得た撮影画像Ｐとを重ね合わせて表示するようにしてもよい。この場合、撮影手段２で得た撮影画像Ｐと温度分布に係る測定画像Ｐｓとをレイヤー構造にし、撮影手段１で得た撮影画像Ｐ又は温度分布に係る測定画像Ｐｓの少なくとも何れか一方を半透明化処理することで、画像を重ね合わせた状態で測定位置の特定と温度分布とを一目で把握できる画像にすることができる。また、上記画像に対し、例えばスケール（例えば、升目）を表示した画像（レイヤー）を重ね合わせれば、測定位置の特定を詳細に行うことができる。
【００４９】
上記実施形態において、撮影手段で撮影中の画像を表示する表示手段１１を備えたが、これに限定されるものではなく、表示手段１１は必要に応じて設けるようにすればよい。但し、測定時において測定手段１の測定領域Ｓａを特定するには、上記実施形態と同様にすることが好ましい。また、上述の如く、媒体記録装置４０を設けた場合には、記録媒体Ｍを取り出して測定後に測定結果の確認を行うことができるので、必ずしも媒体記録装置４０を再生可能に構成する必要なない。但し、測定時において如何なる状況にも対応できるようにするには、上記実施形態と同様にすることが好ましい。
【００５０】
上記実施形態において、表示手段１１に測定結果と撮影結果とを上下に並べて表示するようにしたが、これに限定されるものではなく、例えば、測定結果と撮影結果とを横並びに表示するようにしたり、前記測定結果と撮影結果の画像の他に、測定結果及び撮影結果の一部を抽出して測定領域の一部分を拡大表示して並べて表示したりするようにしてもよい。
【００５１】
上記実施形態において、測定手段１の光軸ＷＬ１と撮影手段２の光軸ＷＬ２とを測定対象物Ｔ上で一致させるべく、撮影手段２の光学系に光軸調整機構を設けたが、これに限定されるものではなく、例えば、撮影手段２の光軸ＷＬ２を固定する一方で、測定手段１の光軸ＷＬ１を調整する光軸調整機構を設けたり、撮影手段２の光軸ＷＬ２を調整する光軸調整機構と、測定手段１の光軸ＷＬ１を調整する光軸調整機構とを設け、測定手段１及び撮影手段２の光軸ＷＬ１，ＷＬ２を相対的に調整するようにしたりしてもよい。また、測定手段１のズーム機構の作動に連動して撮影手段のズーム機構が作動するようにしたが、これに限定されず、例えば、撮影手段２のズーム機構の作動に連動して測定手段１のズーム機構が作動するように構成してもよい。
【００５２】
上記実施形態において、測定手段１及び撮影手段２の光軸ＷＬ１，ＷＬ２を調整すべく、距離測定手段５に赤外線センサーを採用したが、これに限定されるものではなく、例えば、距離測定手段５に超音波センサーを採用してもよい。
【００５３】
上記実施形態において、表示手段１１を検出センサー１０と共にケース本体４に組み込んでいるが、表示手段１１は、検出センサー１０と分離した構成（別体）にしてもよい。また、表示手段１１は液晶モニターに限定されるものではなく、ブラウン管モニター等にあってもよい。
【００５４】
上記実施形態において、測定手段１と撮影手段２とを上下方向（図１においてＹ軸方向）に並べて配設するようにしたが、これに限定されるものではなく、例えば、測定手段１と撮影手段２とを横方向（図１においてＸ軸又はＸ’軸方向）に並べて配設するようにしてもよい。この場合、測定手段１と撮影手段２との光軸ＷＬ１，ＷＬ２を測定対象物Ｔ上で一致させるべく、測定手段１の光学系及び撮影手段２の光学系の少なくとも何れか一方を、並列方向と直交する方向（上下方向：図１におけるＹ軸又はＹ’軸方向）に延びる軸線周りで回転するように構成すればよい。
【００５５】
また、上記実施形態において、測定手段１と撮影手段２とを別個並列に設けるようにしたが、これに限定されるものではなく、例えば、光学系のレンズ（例えば、プリズムレンズ等）を、測定手段１又は撮影手段２の何れかの光学系内に設け、測定手段１又は撮影手段２の何れか一方の光学系から光路が変更された光を検出センサー１０又は撮像素子２０に導くようにしてもよい。このようにすれば、上記実施形態の如く、測定手段１及び撮影手段２の光学系の測定対象物Ｔから光学系レンズまでの光軸ＷＬ１，ＷＬ２が同軸上に位置すると共に、測定対象物Ｔから光学系レンズ１２までの距離が同一であるので、光軸調整機構を設ける必要がない上に、何れか一方の光学系を省略することができ、装置を簡略化することができる。つまり、当該温度測定装置の外観をハンディビデオカメラの如く小型化した構成することができる。
【００５６】
上記実施形態において、検出センサー１０に二次元素子を採用したが、これに限定されるものではなく、検出センサー１０に単素子のものを採用するようにしてもよい。この場合、光学系レンズ１２を直交する二軸周りで回転させ、測定の対象となる所定領域内を二軸方向に走査するよう構成すればよい。但し、検出センサー１０に単素子を採用すると、測定対象物Ｔ上に焦点が位置するように焦点距離を合わせると共に、光学系レンズ１２を介して得られた像を検出センサー１０の検出面上で結像する必要があるので、焦点距離を調整すべく、上記実施形態と同様にオートフォーカス機構を設けることが好ましい。また、オートフォーカス機構に加えてズーム機構を備えても勿論よい。
【図面の簡単な説明】
【００５７】
【図１】本発明の一実施形態に係る温度測定装置の全体斜視図を示す。
【図２】同実施形態に係る温度測定装置で測定対象物である煙突の大部分の温度測定を行う際の使用態様を示した説明図を示す。
【図３】図２で示した使用態様で表示手段に表示される画像の概念図を示す。
【図４】同実施形態に係る温度測定装置で測定対象物である煙突の一部分の温度測定を行う際の使用態様を示した説明図を示す。
【図５】図４で示した使用態様で表示手段に表示される画像の概念図を示す。
【符号の説明】
【００５８】
１…サーモグラフィー（測定手段）、２…撮影手段、３…記憶手段、４…ケース本体、５…距離測定手段、１０…検出センサー、１１…表示手段、１２…光学系レンズ、１３…演算処理装置、２０…撮像素子、２１…光学系レンズ、４０…媒体記録装置、Ｍ…記録媒体、Ｈ…建物、Ｓａ…測定領域、Ｓｂ…撮影領域、Ｔ…煙突（測定対象物）、ＷＬ１，ＷＬ２…光軸
【図１】
2007033124.tif 000003
【図２】
2007033124.tif 000004
【図３】
2007033124.tif 000005
【図４】
2007033124.tif 000006
【図５】
2007033124.tif 000007